(57)【要約】【課題】  着座体又は足置き台をより簡単確実に上下調整できる幼児用椅子を提供する。【解決手段】  着座ストッパー３１の左右外端部が一対の着座垂下体２９から外側方に突出して着座嵌合溝２３の前後方向一端から前後移動自在に挿入可能とされ、着座ストッパー３１はその外端部が対向する着座嵌合溝２３に前後移動可能になる水平状態と、着座ストッパー３１の外端部が着座嵌合溝２３の係合部２７に抜け脱不能に係合する傾斜状態とになるように一対の着座垂下体２９間に揺動自在に支持され、着座ストッパー３１を前記水平状態から傾斜状態に向けて付勢する着座ストッパー付勢手段３２が設けられ、着座ストッパー３１の外端部が着座嵌合溝２３を前後移動して係合部２７に係合したときに、載置凹部２６に嵌合する載置凸部３３が一対の着座垂下体２９に突設されている。【選択図】図５
2012075712.tif 000002
【特許請求の範囲】
【請求項１】
左右一対の支持脚（２）を備え、一対の支持脚（２）間に着座体（４）が上下調整可能に設けられた幼児用椅子であって、
一対の支持脚（２）の上下方向中途部に、前後方向の着座嵌合溝（２３）が左右に対向して複数段ずつ設けられ、各着座嵌合溝（２３）の前後方向一端は開放されると共に該一端部に載置凹部（２６）が設けられ、各着座嵌合溝（２３）の前後方向他端部に係合部（２７）が設けられ、
着座体（４）の左右両側に下方突出した左右一対の着座垂下体（２９）が前後方向に設けられ、一対の着座垂下体（２９）に左右に貫通して左右方向に長い板状の着座ストッパー（３１）が設けられ、該着座ストッパー（３１）の左右外端部が一対の着座垂下体（２９）から外側方に突出して着座嵌合溝（２３）の前後方向一端から前後移動自在に挿入可能とされ、着座ストッパー（３１）はその外端部が対向する着座嵌合溝（２３）に前後移動可能になる水平状態と、着座ストッパー（３１）の外端部が着座嵌合溝（２３）の係合部（２７）に抜け脱不能に係合する傾斜状態とになるように一対の着座垂下体（２９）間に揺動自在に支持され、着座ストッパー（３１）を前記水平状態から傾斜状態に向けて付勢する着座ストッパー付勢手段（３２）が設けられ、
着座ストッパー（３１）の外端部が着座嵌合溝（２３）を前後移動して係合部（２７）に係合したときに、載置凹部（２６）に嵌合する載置凸部（３３）が一対の着座垂下体（２９）に突設されていることを特徴とする幼児用椅子。
【請求項２】
一対の支持脚（２）間の着座体（４）下方に足置き台（１６）が上下調整可能に設けられ、一対の支持脚（２）の上下方向中途部であって前記着座嵌合溝（２３）の下方に、前後方向の足置き嵌合溝（３８）が左右に対応して複数段ずつ設けられ、各足置き嵌合溝（３８）の前後方向一端は開放されると共に該一端部に載置凹部（４１）が設けられ、各足置き嵌合溝（３８）の前後方向他端部に係合部（４２）が設けられ、
足置き台（１６）の左右両側に下方突出した左右一対の足置き垂下体（４４）が前後方向に設けられ、一対の足置き垂下体（４４）に左右に貫通して左右方向に長い板状の足置きストッパー（４６）が設けられ、足置きストッパー（４６）の左右外端部が一対の足置き垂下体（４４）から外側方に突出して足置き嵌合溝（３８）の前後方向一端から前後移動自在に挿入可能とされ、足置きストッパー（４６）はその外端部が対向する足置き嵌合溝（３８）に前後移動可能になる水平状態と、足置きストッパー（４６）の外端部が足置き嵌合溝（３８）の係合部（４２）に抜け脱不能に係合する傾斜状態とになるように一対の足置き垂下体（４４）間に揺動自在に支持され、足置きストッパー（４６）を前記水平状態から傾斜状態に向けて付勢する足置きストッパー付勢手段（４７）が設けられ、
足置きストッパー（４６）の外端部が足置き嵌合溝（３８）を前後移動して係合部（４２）に係合したときに、足置き嵌合溝（３８）の載置凹部（４１）に嵌合する載置凸部（４８）が一対の足置き垂下体（４４）に突設されていることを特徴とする請求項１に記載の幼児用椅子。
【請求項３】
前記複数段の各着座嵌合溝（２３）の前端が開放されると共に前端部に載置凹部（２６）が設けられ、各着座嵌合溝（２３）の後端部に係合部（２７）が設けられて、着座ストッパー（３１）の外端部が対向する着座嵌合溝（２３）に前側から前後移動自在に挿入可能とされ、
前記複数段の各足置き嵌合溝（３８）は後端が開放されると共に後端部に載置凹部（４１）が設けられ、各足置き嵌合溝（３８）の前端部に係合部（４２）が設けられて、足置きストッパー（４６）の外端部が対向する足置き嵌合溝（３８）に後側から前後移動自在に挿入可能とされていることを特徴とする請求項２に記載の幼児用椅子。
【請求項４】
各着座嵌合溝（２３）の係合部（２７）は、着座嵌合溝（２３）の後端部から後方に向けて先細りになる三角形状に形成され、着座ストッパー（３１）は後端側を支点に水平状態と前下がりの傾斜状態とに揺動自在に支持され、
各足置き嵌合溝（３８）の係合部（４２）は、足置き嵌合溝（３８）の前端部から前方に向けて先細りになる三角形状に形成され、足置きストッパー（４６）は前端側を支点に水平状態と後下がりの傾斜状態とに揺動自在に支持されていることを特徴とする請求項２又は３に記載の幼児用椅子。
【請求項５】
左右一対の支持脚（２）間の着座体（４）下方に足置き台（１６）が上下調整可能に設けられ、一対の支持脚（２）の上下方向中途部に、前後方向の足置き嵌合溝（３８）が左右に対応して複数段ずつ設けられ、各足置き嵌合溝（３８）の前後方向一端は開放されると共に該一端部に載置凹部（４１）が設けられ、各足置き嵌合溝（３８）の前後方向他端部に係合部（４２）が設けられ、
足置き台（１６）の左右両側に下方突出した左右一対の足置き垂下体（４４）が前後方向に設けられ、一対の足置き垂下体（４４）に左右に貫通して左右方向に長い板状の足置きストッパー（４６）が設けられ、足置きストッパー（４６）の左右外端部が一対の足置き垂下体（４４）から外側方に突出して足置き嵌合溝（３８）の前後方向一端から前後移動自在に挿入可能とされ、足置きストッパー（４６）はその外端部が対向する足置き嵌合溝（３８）に前後移動可能になる水平状態と、足置きストッパー（４６）の外端部が足置き嵌合溝（３８）の係合部（４２）に抜け脱不能に係合する傾斜状態とになるように一対の足置き垂下体（４４）間に揺動自在に支持され、足置きストッパー（４６）を前記水平状態から傾斜状態に向けて付勢する足置きストッパー付勢手段（４７）が設けられ、
足置きストッパー（４６）の外端部が足置き嵌合溝（３８）を前後移動して係合部（４２）に係合したときに、足置き嵌合溝（３８）の載置凹部（４１）に嵌合する載置凸部（４８）が一対の足置き垂下体（４４）に突設されていることを特徴とする幼児用椅子。
【発明の詳細な説明】
【技術分野】
【０００１】
本発明は、着座体又は足置き台が上下調整可能となる幼児用椅子に関するものである。
【背景技術】
【０００２】
従来の幼児用椅子には、左右一対の支持脚を備え、一対の支持脚間に着座体又は足置き台が上下調整可能に設けられたものがあるが、従来のこの種の幼児用椅子では、左右一対の支持脚に前後方向の嵌合溝が左右に対向して複数段にわたって設けられ、これら嵌合溝の前後方向の中途部下側に位置決め用凹部が設けられ、着座体又は足置き台の下面側の左右両側に位置決め用凹部に係脱自在に係合する左右一対のストッパーが設けられ、該各ストッパーを位置決め用凹部に向けて外側方に向けて付勢するバネが設けられたものがある（例えば特許文献１）。
【先行技術文献】
【特許文献】
【０００３】
【特許文献１】特開２００４−１９５０２２号公報
【発明の概要】
【発明が解決しようとする課題】
【０００４】
この種の従来の従来の幼児用椅子では着座体又は足置き台を一対の支持脚に取り付ける場合、両手で左右一対のストッパーをバネの付勢に抗して左右方向内方に引きながら、着座体又は足置き台の左右両端部を嵌合溝に前後方向に挿入し、ストッパーが位置決め用凹部に対応したときにストッパーの左右方向内方への引張を解除していた。また、着座体又は足置き台を一対の支持脚から取り外す場合には、両手で左右一対のストッパーをバネの付勢に抗して左右方向内方に引きながら、着座体又は足置き台の左右両端部を嵌合溝に対して前後方向に移動して嵌合溝から外していた。従って、着座体又は足置き台を上下調整する際に両手を使用して一対のストッパーを左右方向内方に引きながら着座体又は足置き台の左右両端部を嵌合溝に挿脱する必要があり、着座体又は足置き台の上下調整が非常に面倒であった。
【０００５】
本発明は上記問題点に鑑み、着座体又は足置き台をより簡単確実に上下調整できる幼児用椅子を提供することを目的とする。
【課題を解決するための手段】
【０００６】
この技術的課題を解決する本発明の技術的手段は、左右一対の支持脚２を備え、一対の支持脚２間に着座体４が上下調整可能に設けられた幼児用椅子であって、
一対の支持脚２の上下方向中途部に、前後方向の着座嵌合溝２３が左右に対向して複数段ずつ設けられ、各着座嵌合溝２３の前後方向一端は開放されると共に該一端部に載置凹部２６が設けられ、各着座嵌合溝２３の前後方向他端部に係合部２７が設けられ、
着座体４の左右両側に下方突出した左右一対の着座垂下体２９が前後方向に設けられ、一対の着座垂下体２９に左右に貫通して左右方向に長い板状の着座ストッパー３１が設けられ、該着座ストッパー３１の左右外端部が一対の着座垂下体２９から外側方に突出して着座嵌合溝２３の前後方向一端から前後移動自在に挿入可能とされ、着座ストッパー３１はその外端部が対向する着座嵌合溝２３に前後移動可能になる水平状態と、着座ストッパー３１の外端部が着座嵌合溝２３の係合部２７に抜け脱不能に係合する傾斜状態とになるように一対の着座垂下体２９間に揺動自在に支持され、着座ストッパー３１を前記水平状態から傾斜状態に向けて付勢する着座ストッパー付勢手段３２が設けられ、
着座ストッパー３１の外端部が着座嵌合溝２３を前後移動して係合部２７に係合したときに、載置凹部２６に嵌合する載置凸部３３が一対の着座垂下体２９に突設されている点にある。
【０００７】
また、本発明の他の技術的手段は、一対の支持脚２間の着座体４下方に足置き台１６が上下調整可能に設けられ、一対の支持脚２の上下方向中途部であって前記着座嵌合溝２３の下方に、前後方向の足置き嵌合溝３８が左右に対応して複数段ずつ設けられ、各足置き嵌合溝３８の前後方向一端は開放されると共に該一端部に載置凹部４１が設けられ、各足置き嵌合溝３８の前後方向他端部に係合部４２が設けられ、
足置き台１６の左右両側に下方突出した左右一対の足置き垂下体４４が前後方向に設けられ、一対の足置き垂下体４４に左右に貫通して左右方向に長い板状の足置きストッパー４６が設けられ、足置きストッパー４６の左右外端部が一対の足置き垂下体４４から外側方に突出して足置き嵌合溝３８の前後方向一端から前後移動自在に挿入可能とされ、足置きストッパー４６はその外端部が対向する足置き嵌合溝３８に前後移動可能になる水平状態と、足置きストッパー４６の外端部が足置き嵌合溝３８の係合部４２に抜け脱不能に係合する傾斜状態とになるように一対の足置き垂下体４４間に揺動自在に支持され、足置きストッパー４６を前記水平状態から傾斜状態に向けて付勢する足置きストッパー付勢手段４７が設けられ、
足置きストッパー４６の外端部が足置き嵌合溝３８を前後移動して係合部４２に係合したときに、足置き嵌合溝３８の載置凹部４１に嵌合する載置凸部４８が一対の足置き垂下体４４に突設されている点にある。
【０００８】
また、本発明の他の技術的手段は、前記複数段の各着座嵌合溝２３の前端が開放されると共に前端部に載置凹部２６が設けられ、各着座嵌合溝２３の後端部に係合部２７が設けられて、着座ストッパー３１の外端部が対向する着座嵌合溝２３に前側から前後移動自在に挿入可能とされ、
前記複数段の各足置き嵌合溝３８は後端が開放されると共に後端部に載置凹部４１が設けられ、各足置き嵌合溝３８の前端部に係合部４２が設けられて、足置きストッパー４６の外端部が対向する足置き嵌合溝３８に後側から前後移動自在に挿入可能とされている点にある。
【０００９】
また、本発明の他の技術的手段は、各着座嵌合溝２３の係合部２７は、着座嵌合溝２３の後端部から後方に向けて先細りになる三角形状に形成され、着座ストッパー３１は後端側を支点に水平状態と前下がりの傾斜状態とに揺動自在に支持され、
各足置き嵌合溝３８の係合部４２は、足置き嵌合溝３８の前端部から前方に向けて先細りになる三角形状に形成され、足置きストッパー４６は前端側を支点に水平状態と後下がりの傾斜状態とに揺動自在に支持されている点にある。
【００１０】
また、本発明の他の技術的手段は、左右一対の支持脚２間の着座体４下方に足置き台１６が上下調整可能に設けられ、一対の支持脚２の上下方向中途部に、前後方向の足置き嵌合溝３８が左右に対応して複数段ずつ設けられ、各足置き嵌合溝３８の前後方向一端は開放されると共に該一端部に載置凹部４１が設けられ、各足置き嵌合溝３８の前後方向他端部に係合部４２が設けられ、
足置き台１６の左右両側に下方突出した左右一対の足置き垂下体４４が前後方向に設けられ、一対の足置き垂下体４４に左右に貫通して左右方向に長い板状の足置きストッパー４６が設けられ、足置きストッパー４６の左右外端部が一対の足置き垂下体４４から外側方に突出して足置き嵌合溝３８の前後方向一端から前後移動自在に挿入可能とされ、足置きストッパー４６はその外端部が対向する足置き嵌合溝３８に前後移動可能になる水平状態と、足置きストッパー４６の外端部が足置き嵌合溝３８の係合部４２に抜け脱不能に係合する傾斜状態とになるように一対の足置き垂下体４４間に揺動自在に支持され、足置きストッパー４６を前記水平状態から傾斜状態に向けて付勢する足置きストッパー付勢手段４７が設けられ、
足置きストッパー４６の外端部が足置き嵌合溝３８を前後移動して係合部４２に係合したときに、足置き嵌合溝３８の載置凹部４１に嵌合する載置凸部４８が一対の足置き垂下体４４に突設されている点にある。
【発明の効果】
【００１１】
本発明によれば、着座体（又は足置き台）を上下調整する場合、例えば片手で着座ストッパーを把持して着座ストッパー付勢手段の付勢に抗して着座ストッパーを傾斜状態から水平状態にして着座体を引き出せばよく、着座ストッパーの外端部が左右に対向する着座嵌合溝を移動して、着座体が一対の支持脚間から簡単に引き出される。
また、例えば片手で着座ストッパーを把持して着座ストッパー付勢手段の付勢に抗して着座ストッパーを傾斜状態から水平状態にして、着座ストッパーの外端部を他の段の左右に対向する着座嵌合溝に挿入して、着座ストッパーの外端部を係合部に挿入させると共に、載置凸部を載置凹部に嵌合させて、着座ストッパーを離すと、着座ストッパーが着座ストッパー付勢手段による付勢により着座ストッパーが水平状態から傾斜状態になり、着座ストッパーの外端部が係合部に抜け脱不能に係合し、着座体が一対の支持脚間に水平状態で移動不能に保持される。
【００１２】
従って、着座体（又は足置き台）をより簡単確実に上下調整できる。
【図面の簡単な説明】
【００１３】
【図１】本発明の一実施形態を示す幼児用椅子の斜視図である。
【図２】同幼児用椅子の側面図である。
【図３】同着座体の下方部分の斜視図である。
【図４】同着座体の側面図である。
【図５】同着座嵌合溝部分の側面図である。
【図６】同着座体を上下調整する途中の着座嵌合溝部分の側面図である。
【図７】同足置き台の側面図である。
【図８】同足置き台部分の斜視図である。
【図９】同足置き嵌合溝部分の側面図である。
【図１０】同足置き台を上下調整する途中の足置き嵌合溝部分の側面図である。
【図１１】同ブレース及び支持台部分の斜視図である。
【図１２】同ブレース及び支持台部分の側面断面図である。
【図１３】同ロック部材のロックを解除した状態のブレース及び支持台部分の側面断面図である。
【図１４】同フック体を係止軸から外した状態のブレース及び支持台部分の側面断面図である。
【図１５】同ブレース及び支持台部分を折り畳んだ状態の斜視図である。
【図１６】同ブレース及び支持台部分を折り畳んだ状態の側面図である。
【発明を実施するための形態】
【００１４】
以下、本発明を図示の実施の形態に従って説明する。
図面は本発明の一実施の形態を示している。図１及び図２において、幼児用椅子１は、左右一対の支持脚２を備え、一対の支持脚２間の上部に背凭れ体３と着座体４とが設けられている。背凭れ体３は上下に２枚の背板７，８を有してなり、背板７，８は互いに上下に間隔をおいて支持脚２間に配置されて支持脚２にビス等で固定されている。
【００１５】
一対の支持脚２の上下方向中央部は図３にも示す如く中央連結部材１０により互いに連結され、一対の支持脚２の下部は下部連結部材１１により互いに連結されている。
左右一対の支持脚２の上部に、着座体４に座った幼児の胴部を取り囲む前方突出状のガード枠１３が着脱自在に設けられ、ガード枠１３上にトレイ部材１４が着脱自在に配置固定されている。ガード枠１３と着座体４との間に股ベルト１５が設けられている。
【００１６】
着座体４は一対の支持脚２間の背凭れ体３下方に上下調整可能に取り付けられ、着座体４の下方に足置き台１６が上下調整可能に設けられている。
左右一対の支持脚２の下端部から後方に突出する左右一対の後方突出体１８を有する支持台１９が設けられ、左右一対の支持脚２の中途部から左右一対のブレース２０が下方突出状に設けられ、一対のブレース２０の下端部が後述の如く支持台１９の後側に着脱自在に連結されている。
【００１７】
前記着座体４の上下調整は次のような構成により可能にしている。
図２〜図６において、一対の支持脚２の上下方向中途部に、前後方向の着座嵌合溝２３が左右に対向して複数段ずつ（図例では４段ずつ）設けられている。この複数段の着座嵌合溝２３は１つの合成樹脂製等の溝形成部材２４に形成されており、一対の支持脚２の内面に溝形成凹部を形成し、この溝形成凹部を塞ぐように溝形成部材２４をビス等で溝形成凹部に嵌合固定してなる。
【００１８】
各着座嵌合溝２３の前端は開放されると共に該前端部に載置凹部２６が設けられ、各着座嵌合溝２３の後端部に係合部２７が設けられている。各着座嵌合溝２３の載置凹部２６は各着座嵌合溝２３の前端部から上側に円弧状に膨出している。各着座嵌合溝２３の係合部２７は、着座嵌合溝２３から下側に向けて形成されると共に、着座嵌合溝２３の後端部から後方に向けて先細りになる三角形状に形成されている。
【００１９】
着座体４の左右両側に下方突出した左右一対の着座垂下体２９が前後方向に設けられている。一対の着座垂下体２９に挿通孔３０が設けられ、一対の着座垂下体２９に挿通孔３０を介して左右に貫通して左右方向に長い板状の着座ストッパー３１が設けられている。着座ストッパー３１は左右方向に長い金属板により構成され、着座ストッパー３１の左右外端部が一対の着座垂下体２９から外側方に突出して着座嵌合溝２３の前端から前後移動自在に挿入可能とされている。着座ストッパー３１は一対の着座垂下体２９の挿通孔３０内に後端側を支点に水平状態と前下がりに傾斜した傾斜状態とになるように揺動自在に支持されている。これにより、着座ストッパー３１の外端部が水平状態になって対向する着座嵌合溝２３に前後移動可能になり、前下がりの傾斜状態になって着座嵌合溝２３の係合部２７に抜け脱不能に係合するようになっている。
【００２０】
着座ストッパー３１を前記水平状態から傾斜状態に向けて付勢する着座ストッパー付勢手段３２が設けられている。この着座ストッパー付勢手段３２は圧縮コイルバネにより構成されて、一対の着座垂下体２９の挿通孔３０内にそれぞれ設けられている。
一対の着座垂下体２９に載置凸部３３が外側方に突設されており、着座ストッパー３１の外端部が着座嵌合溝２３を前後移動して係合部２７に係合したときに、載置凸部３３が載置凹部２６に嵌合するようになっている。
【００２１】
而して、着座ストッパー３１の外端部が係合部２７に係合し、載置凸部３３が載置凹部２６に嵌合したときに、着座体４の荷重を着座ストッパー３１の外端部と載置凸部３３を介して着座嵌合溝２３に受けさせるように構成されている。
前記足置き台１６の上下調整は次のような構成により可能にしている。
図２及び図７〜図１０において、一対の支持脚２の着座体４下方に、前後方向の足置き嵌合溝３８が左右に対向して複数段ずつ（図例では５段ずつ）設けられている。この複数段の足置き嵌合溝３８はそれぞれ合成樹脂製等の溝形成部材３９に形成されており、一対の支持脚２の内面に溝形成凹部を形成し、この溝形成凹部を塞ぐように溝形成部材３９をビス等で溝形成凹部に嵌合固定してなる。
【００２２】
各足置き嵌合溝３８の後端は開放されると共に該後端部に載置凹部４１が設けられ、各足置き嵌合溝３８の前端部に係合部４２が設けられている。各足置き嵌合溝３８の載置凹部４１は各足置き嵌合溝３８の前端部から下側に円弧状に膨出している。各足置き嵌合溝３８の係合部４２は、足置き嵌合溝３８から下側に向けて形成されると共に、足置き嵌合溝３８の前端部から前方に向けて先細りになる三角形状に形成されている。
【００２３】
足置き台１６の左右両側に下方突出した左右一対の足置き垂下体４４が前後方向に設けられている。一対の足置き垂下体４４に挿通孔４５が設けられ、一対の足置き垂下体４４に挿通孔４５を介して左右に貫通して左右方向に長い板状の足置きストッパー４６が設けられている。足置きストッパー４６は左右方向に長い金属板により構成され、足置きストッパー４６の左右外端部が一対の足置き垂下体４４から外側方に突出して足置き嵌合溝３８の前後方向一端から前後移動自在に挿入可能とされている。足置きストッパー４６は一対の足置き垂下体４４の挿通孔４５内に前端側を支点に水平状態と後下がりに傾斜した傾斜状態とになるように揺動自在に支持されている。これにより、足置きストッパー４６の外端部が水平状態になって対向する足置き嵌合溝３８に前後移動可能になり、後下がりの傾斜状態になって足置き嵌合溝３８の係合部４２に抜け脱不能に係合するようになっている。
【００２４】
足置きストッパー４６を前記水平状態から傾斜状態に向けて付勢する足置きストッパー付勢手段４７が設けられている。この足置きストッパー付勢手段４７は圧縮コイルバネにより構成されて、一対の足置き垂下体４４の挿通孔４５内にそれぞれ設けられている。
一対の足置き垂下体４４に載置凸部４８が外側方に突設されており、足置きストッパー４６の外端部が足置き嵌合溝３８を前後移動して係合部４２に係合したときに、載置凸部４８が載置凹部４１に嵌合するようになっている。
【００２５】
而して、足置きストッパー４６の外端部が係合部４２に係合し、載置凸部４８が載置凹部４１に嵌合したときに、足置き台１６の荷重を足置きストッパー４６の外端部と載置凸部４８を介して足置き嵌合溝３８に受けさせるように構成されている。
図１、図２及び図１１〜図１６において、前記後方突出体１８の前端部は左右一対の支持脚２の下端部に左右方向の支軸５１廻りに揺動自在に支持され、一対の後方突出体１８の後端部は後連結部材５２により連結されている。後連結部材５２より前方であって左右一対の後方突出体１８の後部間に左右方向の係止軸５４が連結されている。左右一対の支持脚２の下端部と左右一対の後方突出体１８の前端部との間に支軸５１廻りに回転自在のキャスター５５が設けられている。
【００２６】
左右一対の支持脚２の中途部から左右一対のブレース２０が下方突出状に設けられている。一対のブレース２０の上端部は一対の支持脚２の中途部にそれぞれ左右方向の支持軸５７廻りに矢印ｅ，ｆ方向に揺動自在に支持されている。前記一対のブレース２０の下部側間を連結する下連結体５８が設けられている。
一対のブレース２０の下端部にフック体６０が横軸６１廻りに矢印ａ，ｂ方向に揺動自在に支持され、係止軸５４に上側から係脱自在に係合するようになっている。一対のフック体６０を横軸６１廻りに係止軸５４の上方側から係止軸５４に向けて（矢印ａ方向）に付勢するフック付勢手段６２が設けられている。フック付勢手段６２は巻きバネにより構成されてフック体６０の基部に設けられている。
【００２７】
フック体６０は図１２〜図１４に示すように下部側に係合溝５９を有し、該係合溝５９は横軸６１を支点とする円弧状に形成されており、フック体６０の矢印ａ方向の回動により、フック体６０が係合溝５９を介してより簡単確実に係止軸５４に係合するようになっている。
前記左右一対のフック体６０は左右方向のフック連結体６４によって互いに連結されている。下連結体５８にロック部材６５が左右方向の枢軸６６廻りに矢印ｃ、ｄ方向に揺動自在に設けられている。ロック部材６５は枢軸６６廻りに矢印ｃ方向に揺動したとき、ロック部材６５が図１２に示す如くフック連結体６４の係合凹部６３に係合するロック位置Ｘに移動して、フック体６０が係止軸５４に係合する係合位置でフック体６０の横軸６１廻りの上方側への揺動を規制する。ロック部材６５は枢軸６６廻りに矢印ｄ方向に揺動したとき、図１３及び図１４に示す如くロック部材６５のフック連結体６４の係合凹部６３への係合が外れるロック解除位置Ｙに移動して、フック体６０が係止軸５４から外れるようにフック体６０の横軸６１廻りの上方側（矢印ｂ方向）への揺動を許容する。
【００２８】
ロック部材６５をロック解除位置Ｙからロック位置Ｘに向けて付勢するロック付勢手段６７が設けられている。このロック付勢手段６７は巻バネにより構成され、ロック部材６５内に収納されている。
前記一対のブレース２０の中途部と前記係止軸５４とは左右一対の連結杆６９によりそれぞれ連結されており、ブレース２０を支持軸５７廻りに後下がり（矢印ｆ方向）に揺動したときに、左右一対の後方突出体１８が支軸５１廻り（矢印ｈ方向）に揺動して後方突出すると共にフック体６０が係止軸５４に係合可能になり、ブレース２０を支持軸５７廻り（矢印ｅ方向）に揺動して一対の支持脚２の下部側に沿わしたときに、一対の後方突出体１８が支軸５１廻り（矢印ｈ方向）に揺動して支持脚２の下部側に沿うようになって、幼児用椅子１の下部が折り畳み可能に構成されている。
【００２９】
一対の連結杆６９の一端部は係止軸５４廻りに揺動自在に連結され、他端部は一対のブレース２０の中途部に左右方向の揺動軸７１廻りに連結されており、図２及び図１６に示すように、側面視において、幼児用椅子１の使用状態で支軸５１と係止軸５４とを結ぶ線分Ｌよりも上側に連結杆６９の揺動軸７１があったものが、幼児用椅子１の下部を折り畳んだ状態で、揺動軸７１が線分Ｌよりも下側（後側）に移動して突っ張ることにより、折り畳んだ状態で、一対の後方突出体１８が不測に支軸５１廻り矢印ｈ方向に揺動して開いたり、ブレース２０が不測に支持軸５７廻り矢印ｆ方向に揺動して開いたりするのを防止できるようになっている。
【００３０】
上記実施形態によれば、着座体４を上下調整する場合、片手で着座ストッパー３１を把持して着座ストッパー付勢手段３２の付勢に抗して着座ストッパー３１を傾斜状態から水平状態にして着座体４を前側に引き出せばよく、着座ストッパー３１の外端部が左右に対向する着座嵌合溝２３を前方に移動して、着座体４が一対の支持脚２間から前方に簡単に引き出される。次に、片手で着座ストッパー３１を把持して着座ストッパー付勢手段３２の付勢に抗して着座ストッパー３１を傾斜状態から水平状態にして、着座ストッパー３１の外端部を他の段の左右に対向する着座嵌合溝２３にその前端から挿入して、着座ストッパー３１の外端部を係合部２７に挿入させると共に、載置凸部３３を載置凹部２６に嵌合させて、着座ストッパー３１を離すと、着座ストッパー３１が着座ストッパー付勢手段３２による付勢により着座ストッパー３１が水平状態から傾斜状態になり、着座ストッパー３１の外端部が係合部２７に抜け脱不能に係合し、着座体４が一対の支持脚２間に水平状態で移動不能に保持される。従って、着座体４を簡単確実に上下調整できる。
【００３１】
また、足置き台１６を上下調整する場合、片手で足置きストッパー４６を把持して付勢手段の付勢に抗して足置きストッパー４６を傾斜状態から水平状態にして足置き台１６を後側に引き出せばよく、足置きストッパー４６の外端部が左右に対向する着座嵌合溝２３を後方に移動して、足置き台１６が一対の支持脚２間から後方に簡単に引き出される。次に、片手で足置きストッパー４６を把持して足置きストッパー付勢手段４７の付勢に抗して足置きストッパー４６を傾斜状態から水平状態にして、足置きストッパー４６の外端部を他の段の左右に対向する足置き嵌合溝３８にその前端から挿入して、足置きストッパー４６の外端部を係合部４２に挿入させると共に、載置凸部４８を載置凹部４１に嵌合させて、足置きストッパー４６を離すと、足置きストッパー４６が足置きストッパー付勢手段４７による付勢により足置きストッパー４６が水平状態から傾斜状態になり、足置きストッパー４６の外端部が係合部４２に抜け脱不能に係合し、足置き台１６が一対の支持脚２間に水平状態で移動不能に保持される。従って、足置き台１６を簡単確実に上下調整できる。
【００３２】
一対のブレース２０及び支持台１９を折り畳む場合、図１１及び図１２に示すように、一対のフック体６０が係止軸５４に上側から係合し、ロック部材６５がフック連結体６４の係合凹部６３に係合するロック位置Ｘに移動して、フック体６０が係止軸５４に係合する係合位置でフック体６０の横軸６１廻りの上方側（矢印ｂ方向）への揺動を規制した状態で、図１３に示すようにロック部材６５をロック付勢手段６７の付勢に抗して枢軸６６廻りに矢印ｄ方向に揺動して、ロック部材６５のフック連結体６４の係合凹部６３への係合が外れるロック解除位置Ｙに移動し、その後、図１４に示すように、フック体６０及びフック連結体６４をフック付勢手段６２に抗して枢軸６６廻りに矢印ｂ方向に揺動し、フック体６０を係止軸５４から外す。すると、一対のブレース２０は支持軸５７廻りに矢印ｅ，ｆ方向に揺動自在になると共に、一対の後方突出体１８乃至支持台１９が支軸５１廻りに矢印ｅ，ｆ方向に揺動自在になる。
【００３３】
その後、図１５に示すように、一対のブレース２０を支持軸５７廻りに矢印ｅ方向に揺動して、一対の支持脚２の下部側に沿わすと、一対のブレース２０に連動して、一対の後方突出体１８が支軸５１廻りに矢印ｇ方向に揺動して、一対の後方突出体１８乃至支持台１９が支持脚２の下部側に沿う。又は、一対の後方突出体１８を支軸５１廻りに矢印ｇ方向に揺動して、一対の後方突出体１８乃至支持台１９を支持脚２の下部側に沿わすと、これに連動して一対のブレース２０が支持軸５７廻りに矢印ｅ方向に揺動して、一対のブレース２０が一対の支持脚２の下部側に沿う。従って、幼児用椅子１の下部がコンパクトに折り畳まれる。
【００３４】
そして、幼児用椅子１の下部を折り畳む前には、図２に示す如く側面視において、支軸５１と係止軸５４とを結ぶ線分Ｌよりも上側に連結杆６９の揺動軸７１があったものが、幼児用椅子１の下部を折り畳む途中で、図１６に示す如く揺動軸７１が線分Ｌに対して前側から後側に移動し、幼児用椅子１の下部を折り畳んだ状態で、揺動軸７１が線分Ｌよりも後側に位置して突っ張ることにより、折り畳んだ状態から一対の後方突出体１８が不測に支軸５１廻り矢印ｈ方向に揺動して開いたり、ブレース２０が不測に支持軸５７廻り矢印ｆ方向に揺動して開いたりするのを防止できる。従って、幼児用椅子１をコンパクトに折り畳んで便利に収納乃至運搬することができる。
【００３５】
なお、ガード枠１３、トレイ部材１４、着座体４及び足置き台１６は一対の支持脚２から簡単に取り外すことができる。
折り畳んだ状態から幼児用椅子１を使用する場合は、一対のブレース２０を支持軸５７廻りに矢印ｆ方向に揺動して、後下がりに突出させると、一対のブレース２０に連動して一対の後方突出体１８乃至支持台１９が支軸５１廻りに矢印ｈ方向に揺動して、一対の後方突出体１８乃至支持台１９が支持脚２の下端部から後方に突出する。又は、一対の後方突出体１８乃至支持台１９を支軸５１廻りに矢印ｈ方向に揺動して、一対の後方突出体１８乃至支持台１９が支持脚２の下端部から後方に突出させると、これに連動して一対のブレース２０が支持軸５７廻りに矢印ｆ方向に揺動して、後下がりに突出する。
【００３６】
そして、その後は、図１３に示すようにロック部材６５をロック付勢手段６７の付勢に抗して枢軸６６廻りに矢印ｄ方向に揺動して、ロック部材６５のフック連結体６４への係合が外れるロック解除位置Ｙに移動し、フック体６０を係合位置で係止軸５４に係合させる。次に、図１１及び図１２に示すように、ロック部材６５がフック連結体６４に係合するロック位置Ｘに移動すればよく、折り畳んだ状態から幼児用椅子１を簡単確実に使用状態にすることができる。
【００３７】
なお、前記実施形態では、着座体４及び足置き台１６の両方を上下調整可能にしているが、これに代え、着座体４又は足置き台１６のどちらか一方のみを上下調整可能に、他方を一対の支持脚２に固定するようにしてもよい。
また、前記実施形態では、着座嵌合溝２３の前端は開放されると共に該前端部に載置凹部２６が設けられ、各着座嵌合溝２３の後端部に係合部２７が設けられているが、これに代え、着座嵌合溝２３の後端を開放すると共に該後端部に載置凹部２６を設け、各着座嵌合溝２３の前端部に係合部２７を設けるようにしてもよい。また、足置き嵌合溝３８の前端を開放すると共に該前端部に載置凹部２６を設け、各足置き嵌合溝３８の後端部に係合部４２を設けるようにしてもよい。
【００３８】
また、各着座嵌合溝２３及び各足置き嵌合溝３８の係合部４２は、着座嵌合溝２３又は足置き嵌合溝３８から上側に向けて三角形状になるように形成してもよい。
【符号の説明】
【００３９】
１    幼児用椅子
２    支持脚
３    背凭れ体
４    着座体
１６    足置き台
１８    後方突出体
１９    支持台
２０    ブレース
２３    着座嵌合溝
２６    載置凹部
２７    係合部
２９    着座垂下体
３１    着座ストッパー
３２    着座ストッパー付勢手段
３３    載置凸部
４１    載置凹部
４２    係合部
４４    足置き垂下体
４６    足置きストッパー
４７    足置きストッパー付勢手段
４８    載置凸部
５１    支軸
５４    係止軸
５７    支持軸
５８    下連結体
６０    フック体
６１    横軸
６２    フック付勢手段
６４    フック連結体
６５    ロック部材
６７    ロック付勢手段
Ｘ    ロック位置
Ｙ    ロック解除位置
【図１】
2012075712.tif 000003
【図２】
2012075712.tif 000004
【図３】
2012075712.tif 000005
【図４】
2012075712.tif 000006
【図５】
2012075712.tif 000007
【図６】
2012075712.tif 000008
【図７】
2012075712.tif 000009
【図８】
2012075712.tif 000010
【図９】
2012075712.tif 000011
【図１０】
2012075712.tif 000012
【図１１】
2012075712.tif 000013
【図１２】
2012075712.tif 000014
【図１３】
2012075712.tif 000015
【図１４】
2012075712.tif 000016
【図１５】
2012075712.tif 000017
【図１６】
2012075712.tif 000018